(57)【特許請求の範囲】
【請求項１】
容器の口部に装着されるキャップ本体と、該キャップ本体の天面部周縁にヒンジ連結されたヒンジ蓋とからなり、前記天面部の周縁部分に一段下がった周縁部が円環状に設けられていて、該周縁部に前記ヒンジ蓋の下端当接面が当接するキャップにおいて、
閉蓋時に前記天面部の周縁部に当接する前記ヒンジ蓋の下端当接面の内側部分を斜めに切り欠くことにより、前記ヒンジ蓋の下端部内側にテーパー面を有しており、且つ前記天面部の周縁部とこれの内側の上段部とが、前記ヒンジ蓋のテーパー面と間隔をおいて対向する接続テーパー面を介して接続しているキャップ。
【請求項２】
前記下端当接面の略全周にわたって前記テーパー面を前記ヒンジ蓋の下端部内側に有する請求項１記載のキャップ。
【発明の詳細な説明】
【０００１】
【産業上の利用分野】
本発明は、容器の口部に装着されるキャップ本体と、該キャップ本体の天面部周縁にヒンジ連結されたヒンジ蓋とからなるキャップに関する。
【０００２】
【従来の技術及び発明が解決しようとする課題】
容器の口部に装着されるキャップ本体と、該キャップ本体の天面部周縁にヒンジ連結されたヒンジ蓋とからなるキャップは、いわゆるスナップヒンジ形式のキャップであって、着脱係合手段を介して、注出口を覆うようにしてヒンジ蓋をスナップ形式で着脱固定し、キャップ本体の注出口を開閉する。
【０００３】
このようなキャップを液体を収容する容器の口部に装着して使用する場合、パチンという音と共にスナップ形式でヒンジ蓋を閉じる際に、キャップ本体の天面部の周縁部に残った内容液が、当該周縁部と当接するヒンジ蓋の下端当接面との間に急激に挟まれ、周囲に飛散するという課題があった。特に収容した内容液が着色されている場合には、衣類や手を汚すことになる。
【０００４】
ヒンジ蓋を閉じる際の液体の飛散を防止する手段として、キャップ本体の天面部周縁の角部を切り欠いて外側面にテーパー面を形成することにより、液体の飛散を外側下方に誘導する方法や、ヒンジ蓋が当接する天面部の周縁部に液溜め用の溝を設ける方法が考えられるが、前者は切り欠いたテーパー面がキャップ本体の外側面に現れてキャップの美観を損なうことになり、後者は溝の加工に多くの手間を要することになる。
【０００５】
本発明は、キャップの美観を損なうことなく、簡易な構成によって、ヒンジ蓋を閉じる際の内溶物（液体、ジェル状物、クリーム状物等）の飛散を効果的に抑制できるキャップの提供を目的とする。
【０００６】
【課題を解決するための手段】
本発明は、容器の口部に装着されるキャップ本体と、該キャップ本体の天面部周縁にヒンジ連結されたヒンジ蓋とからなるキャップにおいて、閉蓋時に前記天面部の周縁部に当接する前記ヒンジ蓋の下端当接面の内側部分を斜めに切り欠くことにより、前記ヒンジ蓋の下端部内側にテーパー面が形成されているキャップを提供することにより、上記目的を達成したものである。
【０００７】
【発明の実施の形態】
本発明の好ましい実施形態に係るキャップ１０は、図１〜図４に示すように、内容物として例えばアルコールとパウダー成分とを混合してなる乳白色の制汗防臭剤を収容した合成樹脂製の円筒状容器１３の口部１４に装着されて使用される。この内容物は、２０００〜５０００ｍＰａ・ｓの粘度を有し、また衣類やその他のものに付着するとアルコール分が飛んでパウダー成分だけが残り、衣類などを汚すことになる。本実施形態のキャップ１０は、ヒンジ蓋１２の開閉時に内容物が周囲に飛散するのを抑制して、衣類などが汚れるのを効果的に回避可能とするものである。
【０００８】
本実施形態のキャップ１０は、容器１３の口部１４に装着されるキャップ本体１１と、キャップ本体１１の天面部１５の周縁にヒンジ連結されたヒンジ蓋１２とからなり、閉蓋時に天面部１５の周縁部１６に当接するヒンジ蓋１２の下端当接面１７の内側部分を斜めに切り欠くことにより、ヒンジ蓋１２の下端部内側にテーパー面１８が形成されている。
【０００９】
キャップ本体１１は、例えば合成樹脂製の射出成形品であって、平面形状が円形の天面部１５と、天面部１５の周縁部分から下方に延設された円筒状の側壁部１９とからなる。側壁部１９は例えば１６ｍｍ程度の高さを有し、その内周面には雌ネジが形成されており、容器１３の口部１４の外周面に形成された雄ネジに螺合されることにより、キャップ１０が容器１３の口部１４に装着固定される。天面部１５は、その直径が例えば３０ｍｍ程度であり、その周縁部分には、一段下がった幅が例えば２．０ｍｍ程度の平坦な面の周縁部１６が円環状に設けられている。なお、この周縁部１６は、後述するヒンジ部２７の近傍において、その幅が広くなっている。
【００１０】
周縁部１６の内側は、接続テーパー面２２を介して当該周縁部１６よりも例えば１．５ｍｍ程度高くなった上段部２３となっている。上段部２３の中央部分は、ノズル部２４として山形形状に突出しており、その先端の陥没部の中心部分には、例えば直径が２．０ｍｍ程度の大きさの内容物の注出口２５が形成されている。また、上段部２３の裏面側には、キャップ１０を容器１３の口部１４に装着した際に、口部１４の上端内壁面に密着してシール性を高めるインナーリング２６が設けられている。
【００１１】
ヒンジ蓋１２は、例えば射出成形によりキャップ本体１１と一体として形成され、キャップ本体１１の天面部１４の直径と等しい例えば３０ｍｍ程度の直径を有すると共に、例えば９ｍｍ程度の高さを有し、内部にキャップ本体１１のノズル部２４を収容し得る大きさの円形ドーム状の部材である。このヒンジ蓋１２は、折れ曲がりが可能な一対のヒンジ部２７を介して、キャップ本体１１の周縁部１６の周縁に回動可能にヒンジ連結している。また、ヒンジ蓋１２の上端部近傍及びキャップ本体１１の側壁部１９にその両端が各々接合され、一対のヒンジ部２７に挟まれて配設された連結帯２８によって、連結状態が補強されている。
【００１２】
ヒンジ蓋１２の中央部分である天端部の内側には、その中心から下方に向けて閉栓棒２９が突出している。この閉栓棒２９の先端は若干拡径している。ヒンジ蓋１２を下方に回動して閉じる際に、閉栓棒２９がキャップ本体１１の注出口２５に挿入嵌合され、先端の拡径部分が注出口２５を通過して下方に突出することにより、閉栓棒２９はパチンという音と共にスナップ形式で着脱可能に注出口２５に係止固定されて、当該注出口２５を閉塞する。閉じた状態にあるヒンジ蓋１２を上方に回動すれば、拡径部分の弾性によって係止状態が容易に開放され、注出口２５を開けることができる。なお、ヒンジ蓋１２の上方への回動を容易にするために、ヒンジ部２７とは反対側に位置するヒンジ蓋１２の周縁には、開放操作爪３０が設けられると共に、開放操作爪３０の下方に位置するキャップ本体１１の側壁部１９には、半円テーパー状のへこみ部３１が形成されている（図１、図２参照）。
【００１３】
本実施形態によれば、図２〜図４に示すように、閉蓋時にキャップ本体１１の周縁部１６に当接するヒンジ蓋１２の下端当接面１７の内側部分を斜めに切り欠くことにより、水平に対して例えば４０゜の角度で傾斜するテーパー面１８が、ヒンジ部２７を除く下端当接面１７の略全周にわたってヒンジ蓋１２の下端部内側に形成されている。これによって、下端当接面１７は、例えば０．５ｍｍ程度の小さな幅で周縁部１６に当接し、ヒンジ蓋１２の下端部内側には、上段部２３への接続テーパー面２２との間に、相当の空間が確保されることになる。また、テーパー面１８がヒンジ蓋１２の下端部内側に形成されることにより、開放操作爪３０及びヒンジ部２７の部分を除いて、閉蓋時におけるヒンジ蓋１２の下端外側面と、キャップ本体１１の側壁部１９の上端外側面との間に、面一な状態が保持される。
【００１４】
また本実施形態によれば、天面部１５の下段部である周縁部１６と、上段部２３とを接続する接続テーパー面２２が、上段部２３の周縁部を斜めに切り欠くことにより、ヒンジ蓋１２のテーパー面１８と対向するようにして、水平に対して例えば６５゜の角度で傾斜して形成されている。周縁部１６と上段部２３とがこのような接続テーパー面２２を介して接続していることにより、ヒンジ蓋１２の下端部内側には、さらに大きな空間が確保されることになる。なお、上記記載においてテーパー面を形成する際の「切り欠く」とは、角部を切断してテーパー面を形成することを必ずしも意味するものではなく、金型等を用いて成形する際に、結果として切り欠かれたようにテーパー面が形成されることも含まれる。
【００１５】
本実施形態のキャップ１０によれば、美観を損なうことなく、簡易な構成によって、ヒンジ蓋１２を閉じる際の内容物の飛散を効果的に抑制することができる。即ち、ヒンジ蓋１２の下端部内側には、下端当接面１７の内側部分を斜めに切り欠くことによりテーパー面１８が形成され、これによって相当の空間が確保されていると共に、下端当接面１７の幅が狭くなっているので、ヒンジ蓋１２を閉じる際に周縁部１６に内容物が残っている場合でも、当該内容液を挟み込む面積が小さく、またテーパー面１８により案内させて内容物をキャップ１０の内側に飛散させることにより（図２参照）、スナップ時に挟み込まれた内溶液がキャップ１０の外側周囲に飛散するのを効果的に抑制することが可能になる。
【００１６】
また、テーパー面１８はヒンジ蓋１２の下端部内側に形成されており、閉蓋時におけるヒンジ蓋１２の下端外側面と、キャップ本体１１の側壁部１９の上端外側面とが面一な状態を保持しているので、美観を損なうことがない。
【００１７】
さらに、本実施形態によれば、周縁部１６と上段部２３とがヒンジ蓋１２のテーパー面１８と対向する接続テーパー面２２を介して接続していることにより、ヒンジ蓋１２の下端部内側には、さらに大きな空間が確保されるので、内容物をキャップ１０の内側へよりスムースに飛散させることができ、内容物がキャップ１０の外側周囲に飛散するのをさらに効果的に抑制することが可能になる。
【００１８】
なお、本発明は、上記実施形態に限定されることなく種々の変更が可能である。例えば、ヒンジ蓋の下端部内側のテーパー面は、下端当接面の略全周にわたって形成する必要は必ずしもなく、スナップ形式でヒンジ蓋を閉じる際に大きな挟み込み時の衝撃が生じる、例えばヒンジ部とは反対側の半円部分のみにテーパー面を形成することもできる。また、周縁部と上段部との接続部を接続テーパー面とする必要は必ずしもなく、ヒンジ蓋の下端部内側にテーパー面を形成することのみによっても、充分な飛散抑制効果が得られる。さらに、ヒンジ蓋の着脱係合手段は、必ずしも閉栓棒を注出口に挿入嵌合するものである必要はない。さらにまた、容器に収容された内容物は、上記所定の粘度を有する制汗防臭剤である必要は必ずしもなく、その他の粘度の液体や、その他の着色された種々の液体を内溶液とすることもできる。
【００１９】
【発明の効果】
本発明のキャップによれば、美観を損なうことなく、簡易な構成によって、ヒンジ蓋を閉じる際の内容物の飛散を効果的に抑制することができる。
【図面の簡単な説明】
【図１】本発明の一実施形態に係るキャップを取り付けた容器の正面図である。
【図２】容器に装着されたキャップのヒンジ蓋を閉じた状態を示す断面図である。
【図３】本発明の一実施形態に係るキャップの断面図である。
【図４】図３のキャップを上方から視た平面図である。
【符号の説明】
１０  キャップ
１１  キャップ本体
１２  ヒンジ蓋
１３  容器
１４  口部
１５  天面部
１６  周縁部
１７  下端当接面
１８  テーパー面
１９  側壁部
２２  接続テーパー面
２３  上段部
２５  注出口
２７  ヒンジ部
２９  閉栓棒
【図１】
0004446551.tif 000002
【図２】
0004446551.tif 000003
【図３】
0004446551.tif 000004
【図４】
0004446551.tif 000005